(57)【要約】【課題】マイクロホンを手に取り易くすることで手元からの落下を防止しつつ、良好な集音が可能なグリップ状態を実現するマイクロホンを提供する。【解決手段】マイクロホン１の筐体２は、緩く湾曲した長手状のガングリップ形状をしている。その一端にスリット状の集音口４と、人指指が通る大きさの環状の指掛部３が形成されている。この指掛部３に指を引っ掛けて、ポケット或いは充電ホルダから取り出し、指掛部３に人指指を通して筐体２を握ることで、集音口４近傍を握った状態が自然と形成されるので、集音口４をユーザの口元に近付けるのが容易である。【選択図】図４
2011018957.tif 000002
【特許請求の範囲】
【請求項１】
長手形状の筐体を手で把持して使用するハンドタイプのマイクロホンであって、
前記筐体内に集音部を有し、
前記筐体は、
その長手方向の一端に、前記集音部へ外部の音を導くための集音口と、
前記集音口の近傍に、人の指が挿通可能な指掛部とが形成されていることを特徴とするマイクロホン。
【請求項２】
前記指掛部は、使用時に人差指を挿通して掛けるためのものであり、前記集音口の後方に前記人差指が掛かるように形成されていることを特徴とする請求項１記載のマイクロホン。
【請求項３】
前記集音口及び前記指掛部が形成されている前記筐体の一端とは反対側の他端側に、集音した音声情報を無線送信するためのアンテナ部又は赤外線送信するための発光部が設けられていることを特徴とする請求項１又は２に記載のマイクロホン。
【請求項４】
前記指掛部は、人の所定の指が挿通する環状又は切欠環状であることを特徴とする請求項１〜３のうちいずれか１項記載のマイクロホン。
【発明の詳細な説明】
【技術分野】
【０００１】
本発明は、手で把持して使用するハンドタイプのマイクロホンに関する。
【背景技術】
【０００２】
一般的なハンドタイプマイクロホンの形状の一例として、下記特許文献１に開示されているものがある。
【０００３】
図６は、下記特許文献１に開示されているマイクロホンの外観を示した図である。同図に示すようにマイクロホン１００の筐体は、人間の手１０３で握った場合に、ちょうど握り易いと感じられる程度の胴回りのグリップ部１０２を有した長手円筒形状であり、その一端に音声を拾う集音部（下記特許文献１では音声入力部、と説明されている。図示せず）を内蔵した概略球状のウィンドスクリーン１０１が設けられている。また、マイクロホン１００の筐体には、ウィンドスクリーン１０１の網目を通じて外部から集音した音声を増幅し音声信号に変換する回路（図示せず）や、音声信号を送信するためのアンテナ部１０４が設けられている。
【先行技術文献】
【特許文献】
【０００４】
【特許文献１】特開平１０−２００９８０号公報
【発明の概要】
【発明が解決しようとする課題】
【０００５】
ところで、図６に示した従来型のハンドタイプのマイクロホン１００は、ユーザが手に取る際、グリップ部（筐体）１０２に指が引掛かる部分が少ないため、グリップ部（筐体）１０２をきっちりと握る前に、ツルッと手から滑らせて落下させてしまうことがある。
【０００６】
また、ユーザが手に取った時に握った位置がたまたま、図６に示すアンテナ部１０４側、つまり、ウィンドスクリーン１０１から遠い位置であった場合、ウィンドスクリーン１０１がユーザの口元からずれて、ユーザの声をうまく拾えないことも考えられる。反対に、図６に示すウィンドスクリーン１０１を掴んで、そのままウィンドスクリーン１０１を覆うような状態で握った場合、ユーザの声がウィンドスクリーン１０１内で反響して、ユーザの声を良好に拾えないことも考えられる。
【０００７】
そこで本発明は、マイクロホンを手に取り易くすることで手元からの落下を防止しつつ、良好な集音が可能なグリップ状態を実現するマイクロホンを提供することを目的とする。
【課題を解決するための手段】
【０００８】
上記の課題を解決するために、本発明は、長手形状の筐体を手で把持して使用するハンドタイプのマイクロホンであって、前記筐体内に集音部を有し、前記筐体は、その長手方向の一端に、前記集音部へ外部の音を導くための集音口と、前記集音口の近傍に、人の指が挿通可能な指掛部とが形成されていることを特徴とする。
【０００９】
この構成により、本発明に係るマイクロホンを、例えば、ポケットや充電器ホルダ等から取り出す際、ユーザは、指掛部に指を引っ掛けて手に取ることができるので、手元からの落下を防止することができる。また、集音口の近傍に形成されているその指掛部に指を通してマイクロホンの筐体を把持することで、マイクロホンの集音口をユーザの口元に確実に近付けることができるので、ユーザの声を良好に集音することができる。
【００１０】
また、前記指掛部は、使用時に人差指を通して掛けるためのものであり、前記集音口の後方に前記人差指が掛かるように形成されていることが望ましい。これにより、筐体を握った時に手が集音口を塞がないグリップ状態が実現できる。
【００１１】
前記集音口及び前記指掛部が形成されている前記筐体の一端とは反対側の他端側に、集音した音声情報を無線送信するためのアンテナ部又は赤外線送信するための発光部が設けられていてもよい。これにより、筐体を握っている手の位置は、指が指掛部に掛かっていることから、長手状のマイク筐体の、集音口及び指掛部が形成されている一端側に寄せた位置にあるので、他端側に設けられているアンテナの送信電波、或いは赤外線の発光を妨害しないようにすることができる。
【００１２】
前記指掛部は、人の所定の指が挿通する環状又は切欠環状であることが望ましい。これにより、マイクロホンを指で引っ掛けて手に取ることができ、その指掛部に所定の指を挿通して指を掛けた状態でマイクロホンを把持することで、ユーザの声を良好に集音可能なグリップ状態を実現することができる。なお、本明細書で言う環状とは、円、楕円、半円、多角形、線及び曲線の組み合わせからなる形状のいずれの形状であっても、孔の縁がつながった状態の形状を意味する。そして、切欠環状は、前記環状の一部に切欠が形成されている形状のことを意味する。
【００１３】
前記筐体は、湾曲したガングリップ形状であることが望ましい。これにより、筐体がより手にフィットして握り易くなるのと、見た目上、握り位置がより特定されることで、ユーザは迷いなく最適な握り位置を握ることができる。更に、ガングリップ形状であることから、見た目上ワイルドさを醸し出すことができる。
【発明の効果】
【００１４】
本発明に係るマイクロホンは、筐体の集音口近傍に指掛部が形成されている。この指掛部に指を引っ掛けてポケット等から取り出すことができるので、手元から滑らして落下させてしまう、ということが少なくなるので、落下防止の効果がある。また、この指掛部に所定の指を掛けて筐体を把持することで、集音口近傍を把持することになり、確実に集音口を口元に近付けることができるという効果がある。
【００１５】
なお、メーカとしてあえて推奨はしないが、西部劇映画でよく見られるような、拳銃の引金保護部を利用して指でクルクルと回すのと同様のパフォーマンスを、本発明に係るマイクロホンの指掛部を利用することで実現することが可能である。その場合、環状は真円であることが望ましい。
【図面の簡単な説明】
【００１６】
【図１】マイクロホン１の立体斜視図。
【図２】マイクロホン１の機能ブロック図。
【図３】マイクロホン１をポケットから取り出す状況を示す図。
【図４】マイクロホン１を把持した状態を示す図。
【図５】指掛部が切欠環状に形成されたマイクロホン１Aの立体斜視図。
【図６】従来のマイクロホンの形状及び把持状態を示した図。
【発明を実施するための形態】
【００１７】
以下に、本発明に係るマイクロホンの一実施形態について図面を用いて説明する。
図１は、マイクロホン１の立体斜視図であり、図２はマイクロホン１の機能ブロック図である。
【００１８】
図１に示すようにマイクロホン１は、直方形を長手方向に対して垂直な一方向に緩く湾曲させた、ガングリップ形状の筐体２を有する。ここで、ガングリップ形状とは、文字通り、銃の握り手部（グリップ部）を模擬した形状である。なお、拳銃、小銃、マシンガン、バズーカ、というように銃にもいろいろ種類はあるが、その握り手（グリップ部）は、握り手の長手方向に対して垂直な銃身方向に緩く湾曲しているのが一般的である。筐体２は、樹脂及び金属で成形される。
【００１９】
筐体２の上端面と上端近傍の前側面と左右の両側面には、複数本のスリット状の集音口４、５、６が形成されている。集音口４、５、６は、筐体２に内蔵されている集音部１０に外部の音を導くための孔であり、集音部１０の集音指向特性上、上端面に形成される集音口４がメインの集音口となる。
【００２０】
集音口４のスリットは、上端面の長手方向に平行に4本形成されている。また、上端側の前側面に形成されている集音口５のスリットは、前側面の長手方向に対して垂直となる方向に４本形成されている。また、上端面には、外部マイクの入力を受け付けるための入力端子９が設けられている。
【００２１】
集音口６のスリットは、上端側の右側面に形成されており、集音口５の下側のスリット３本と続くように、平行に３本形成されている。図１には図示されていない上端側の左側面にも同様のスリットが形成されている。
【００２２】
集音口５と背向する筐体２の背面側の位置に、円環状の指掛部３が、筐体２の左右側面方向に開口して形成されている。この円環状の開口は、銃の引き金を保護する引金保護部をイメージしており、銃の引金保護部と同様に、人指指を通す点は同じであるが、指掛部３の円環形状は真円であり、且つ一般的な人の人差指が十分通る程度の５００円玉強の大きさであるので、銃の引金保護部とは大きく異なる。また、図１に示すように、指掛部３の円環の半分が、緩く湾曲した筐体２の左右両側面の矩形ラインから迫り出ている。
【００２３】
筐体２の前側面には、親指で操作することを想定したプッシュトゥトークボタン７が設けられている。電源が入っている状態でこのプッシュトゥトークボタン７を１度押すと、集音部１０は、集音状態となり、再度押すと、不集音状態となる。
【００２４】
筐体２の後側面及び左右両側面には、滑り止めの刻みパターンが形成されている。筐体２の下端面には、充電ホルダ（図示せず）と接続することで、内蔵のバッテリー部１４に対して充電するための電源入力部８が設けられている。
【００２５】
次に図２を用いて、マイクロホン１の機能構成について説明するが、基本的な構成は、従来のワイヤレスマイクロホンと同様であるので簡単に説明する。
【００２６】
マイクロホン１はその筐体２内に、集音部１０、増幅回路１１、FM変調回路１２、アンテナ部１３、バッテリー部１４、電源入力部８等の各機能部を備えている。
【００２７】
集音部１０は、マイクユニットとも呼ぶが、集音口４、５、６を通じで筐体２内に入ってきた音波を音声信号（電気信号）に変換する機能を有する。集音部１０、或いは入力端子９に接続された外部マイクによって生成された音声信号は、増幅回路１１に入力される。
【００２８】
増幅回路１１は、入力された音声信号の信号レベルを増幅調整する機能を有する。信号レベルが増幅調整された音声信号は、ＦＭ変調回路１２に入力される。
【００２９】
ＦＭ変調回路１２は、入力された音声信号をＦＭ変調する機能を有する。ＦＭ変調された変調信号は、アンテナ部１３から無線送信される。
【００３０】
図示していないが、無線送信された変調信号は対応する受信機のアンテナが受信して、復調され、復調された音声信号は、アンプ、スピーカを通じて拡声される。
【００３１】
電源入力部８は、筐体２の外面に、図示していない充電ホルダと接続することで電力供給を受けるための端子を有しており、供給される電力はバッテリー部１４に充電される。
【００３２】
次に図３、４を用いて、マイクロホン１の使用状況を説明する。図３は、マイクロホン１をポケットから取り出す状況を示した図である。ユーザは、指掛部３にユーザの人差指５１を通して引っ掛けて、ポケット６０からマイクロホン１を取り出すことができる。
【００３３】
図４は、マイクロホン１の把持状態を示す図である。図３に示したように人差指５１を指掛部３に引っ掛けた状態から、マイクロホン１を半回転させることで図４に示すような把持状態にすることも可能である。しかし、慣れていないうちは、指掛部３の孔から人差指５１がスポッと抜けて、マイクロホン１が飛んで行ってしまう恐れがあるので初心者にはあまりお勧めではない。
【００３４】
基本的には、人差指５１を指掛部３に引っ掛けて持ち上げた後、両手で持ち直すことが望ましい。そして、改めて指掛部３に人差指５１を通し、親指５２を筐体２の前側面に掛け、それ以外の指を筐体２の後側面に掛けて、手のひら全体で把持する。その際、図４に点線で示している、筐体２内蔵のアンテナ１３が、ユーザの手５０と被らないように筐体２の下端側に配置されているので、送信電波が手５０によって遮られることなく良好に送信することができる。
【００３５】
なお、本発明は上述の一実施形態に限定されるものではない。次のような変形例も考えられる。
【００３６】
図５は、指掛部３Aが切欠環状に形成されたマイクロホン１Ａの立体斜視図である。上述のマイクロホン１は、真円の円環状であるが故にクルクルと回せるので、パフォーマンスとして使えることは上述した通りである。
【００３７】
しかし、そのパフォーマンスは、あくまで仕事として、練習を積んでクルクルと回すということであれば、それほど問題にはならないが、遊びで、ついクルクルと回して、自分自身や他人にぶつけたり、はずみで指から抜けて飛ばしてしまったりする、という問題が生じる可能性がある。このような問題が表面化した場合は、円環状の指掛部の一部を切り欠いて切欠環状にすることで、あえてクルクルと回しづらくする、或いは回せなくする、という処置も考えられる。
【００３８】
また、クルクルと回しづらくする方法としては、指掛部３の環状を三角や四角、或いはグニャグニャした形状にすることも考えられる。
【００３９】
上述の実施形態のマイクロホン１の筐体には、滑り止め用の刻みパターンが形成されているが、握った時の手の各指のふくらみに合わせた凹凸を筐体に形成していてもよい。
【００４０】
上述の実施形態のマイクロホン１は、ワイヤレスマイクとして説明したが、送信方式は問わない。例えば、赤外線通信用マイクに適用してもよい。この場合、赤外線の発光部は、前記集音口及び前記指掛部が形成されている前記筐体の一端とは反対側、つまり、図４に示したアンテナ部１３付近、より望ましくは、筐体２の後側面側に設けていることが望ましい。これにより、指掛部３の位置によって、握り位置が集音口に寄せられるので、握った時に手が発光部を覆わないようにすることができる。
【００４１】
また、有線マイクに本発明を適用することも可能である。また、アンテナは筐体の外部に突き出ていてもよいし、筐体の下端以外の位置に設けられていてもよい。
【産業上の利用可能性】
【００４２】
本発明に係るマイクロホンは、舞台等でパフォーマンスするユーザに限らず、パチンコ店内でのお知らせ用マイクとして、或いは、スーパーマーケットのお惣菜コーナー、肉コーナーでの呼び込み用マイクとして等、拡声を必要とする様々な業界で有用である。
【符号の説明】
【００４３】
１、１Ａ、１００  マイクロホン
２                筐体
３、３Ａ          指掛部
４、５、６             集音口
７                プッシュトゥトークボタン
８                電源入力部
９                入力端子
１０              集音部
１１              増幅回路
１２              ＦＭ変調回路
１４              バッテリー部
５１              人差指
５２              親指
１０１            ウィンドスクリーン
１０２            グリップ部
５０、１０３      手
１３、１０４      アンテナ部
【図１】
2011018957.tif 000003
【図２】
2011018957.tif 000004
【図３】
2011018957.tif 000005
【図４】
2011018957.tif 000006
【図５】
2011018957.tif 000007
【図６】
2011018957.tif 000008